【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
位置情報出力装置であって、
第１の領域と第２の領域とを含む表示画面と、
該表示画面上で指示された位置の座標情報を出力するための位置情報出力回路と、
入力される画像信号によって形成し得る画像を、前記表示画面の前記第１の領域と前記第２の領域にそれぞれ表示するための表示信号を出力する出力回路と、
を有しており、
前記位置情報出力回路は、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力することを特徴とする位置情報出力装置。
【請求項２】
前記位置情報出力回路は、前記第１の領域と前記第２の領域に挟まれる所定領域内もしくは前記第１の領域と前記第２の領域の境界に隣接する所定領域内を指示された場合には、該指示された位置の座標情報を出力しないことを特徴とする請求項１に記載の位置情報出力装置。
【請求項３】
位置情報出力装置であって、
第１の領域と第２の領域とを含む表示画面と、
該表示画面上で指示された位置の座標情報を出力するための位置情報出力回路と、
入力される画像信号によって形成し得る画像を、前記表示画面の前記第１の領域と前記第２の領域にそれぞれ表示するための表示信号を出力する出力回路と、
前記位置情報出力回路が出力する座標情報が、前記表示画面上の前記第１の領域内の位置の座標情報である場合に該座標情報に応じた所定の信号処理を行い、前記位置情報出力回路が出力する座標情報が、前記表示画面上の前記第２の領域内の位置の座標情報である場合に該座標情報を前記第１の領域内の対応位置の座標情報に変換して前記所定の信号処理を行う制御回路と、
を有することを特徴とする位置情報出力装置。
【請求項４】
前記制御回路は、前記位置情報出力回路が出力する座標情報が、前記第１の領域と前記第２の領域に挟まれる所定領域内もしくは前記第１の領域と前記第２の領域の境界に隣接
する所定領域内の位置の座標情報である場合には、該座標情報に応じた前記所定の信号処理を行わないことを特徴とする請求項３に記載の位置情報出力装置。
【請求項５】
第１の領域と第２の領域とを含む表示画面上で指示された位置の座標情報を出力する位置情報出力方法であって、
入力される画像信号によって形成し得る画像を、前記表示画面の前記第１の領域と前記第２の領域にそれぞれ表示する表示ステップと、
前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力する位置情報出力ステップと、
を有することを特徴とする位置情報出力方法。
【請求項６】
前記位置情報出力ステップにおいて、前記第１の領域と前記第２の領域に挟まれる所定領域内もしくは前記第１の領域と前記第２の領域の境界に隣接する所定領域内を指示された場合には、該指示された位置の座標情報を出力しないことを特徴とする請求項５に記載の位置情報出力方法。
【手続補正２】
【補正対象書類名】明細書
【補正対象項目名】発明の名称
【補正方法】変更
【補正の内容】
【発明の名称】位置情報出力装置及び位置情報出力方法
【手続補正３】
【補正対象書類名】明細書
【補正対象項目名】００１１
【補正方法】変更
【補正の内容】
【００１１】
上記目的を達成するために本発明の位置情報出力装置は、第１の領域と第２の領域とを含む表示画面と、該表示画面上で指示された位置の座標情報を出力するための位置情報出力回路と、入力される画像信号によって形成し得る画像を、前記表示画面の前記第１の領域と前記第２の領域にそれぞれ表示するための表示信号を出力する出力回路と、を有しており、前記位置情報出力回路は、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力することを特徴とする。
【手続補正４】
【補正対象書類名】明細書
【補正対象項目名】００１２
【補正方法】変更
【補正の内容】
【００１２】
本発明の他の位置情報出力装置は、第１の領域と第２の領域とを含む表示画面と、該表示画面上で指示された位置の座標情報を出力するための位置情報出力回路と、入力される画像信号によって形成し得る画像を、前記表示画面の前記第１の領域と前記第２の領域に
それぞれ表示するための表示信号を出力する出力回路と、前記位置情報出力回路が出力する座標情報が、前記表示画面上の前記第１の領域内の位置の座標情報である場合に該座標情報に応じた所定の信号処理を行い、前記位置情報出力回路が出力する座標情報が、前記表示画面上の前記第２の領域内の位置の座標情報である場合に該座標情報を前記第１の領域内の対応位置の座標情報に変換して前記所定の信号処理を行う制御回路と、を有することを特徴とする。
【手続補正５】
【補正対象書類名】明細書
【補正対象項目名】００１３
【補正方法】変更
【補正の内容】
【００１３】
本発明の位置情報出力方法は、第１の領域と第２の領域とを含む表示画面上で指示された位置の座標情報を出力する位置情報出力方法であって、入力される画像信号によって形成し得る画像を、前記表示画面の前記第１の領域と前記第２の領域にそれぞれ表示する表示ステップと、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力する位置情報出力ステップと、を有することを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２１
【補正方法】変更
【補正の内容】
【００２１】
２０は表示発生部であり、システム制御部１２の指示に応じて表示すべき内容を発生させる。２１は出力回路に相当する分割対面処理部であり、この役割については後述する。２２は表示装置であり、表示データを表示する。２３はタッチパネル制御部であり、タッチパネル２４からの位置情報をバス１１を介してシステム制御部１２に伝える。２４はタッチパネルであり、ユーザーが指示した位置を位置情報として検出する。タッチパネル２４とタッチパネル制御部２３が位置情報出力回路に相当している。
【手続補正９】
【補正対象書類名】明細書
【補正対象項目名】００３６
【補正方法】変更
【補正の内容】
【００３６】
１）分割対面表示モードの場合は、
ａ）０≦Ｘ≦Ｘｍａｘ／２の時（左半分）、
Ｘ’＝Ｘ、
Ｙ’＝Ｙ、
となり、
ｂ）Ｘｍａｘ／２＜Ｘ≦Ｘｍａｘの時（右半分）、
Ｘ’＝Ｘｍａｘ−Ｘ、
Ｙ’＝Ｙｍａｘ−Ｙ、
となる。
【手続補正１０】
【補正対象書類名】明細書
【補正対象項目名】００３９
【補正方法】変更
【補正の内容】
【００３９】
なお、上記形態では分割対面表示モード時にタッチパネル制御部２３でタッチパネルから入力されたＸ座標の大きさを判別して出力座標を変化させる処理をしていた。すなわち、位置情報出力回路内で出力座標情報を変換していた。しかし、この処理はタッチパネル制御部２３でなくシステム制御部１２や他の回路において座標情報に基づく所定の信号処理を行う際に、該信号処理を行う回路において位置情報出力回路からの変換されていない座標情報を変換した上で信号処理を行うようにしても良い。なお、座標情報に基づく所定の信号処理としては、座標情報に基づいて該座標情報に対応した位置にポインタ記号（矢印状のものなど）を表示させるための信号処理などを挙げることができる。
【手続補正１１】
【補正対象書類名】明細書
【補正対象項目名】００４９
【補正方法】変更
【補正の内容】
【００４９】
以上をまとめると、分割対面表示モードの場合のタッチパネル入力座標（Ｘ，Ｙ）に対して、タッチパネル制御部２３からの出力座標（Ｘ’，Ｙ’）は、
ａ）０≦Ｘ≦Ｘｍａｘ／２−Ｗの時（図８のａ領域）、
Ｘ’＝Ｘ、
Ｙ’＝Ｙ、
となり、
ｂ）Ｘｍａｘ／２−Ｗ＜Ｘ≦Ｘｍａｘ／２＋Ｗの時（図８のｂ領域）、
Ｘ’＝０、
Ｙ’＝０、
となり、
ｃ）Ｘｍａｘ／２＋Ｗ＜Ｘ≦Ｘｍａｘの時（図８のｃ領域）、
Ｘ’＝Ｘｍａｘ−Ｘ、
Ｙ’＝Ｙｍａｘ−Ｙ、
となる。
【手続補正１２】
【補正対象書類名】明細書
【補正対象項目名】００５０
【補正方法】変更
【補正の内容】
【００５０】
以上により、分割対面表示モードの際に隣接した分割画面の間に不感帯が設けられ、その領域のタッチ入力を無視することができ、あいまいな指示が表示画面に反映されず、意図しない動作になることを防ぐことができる。この実施形態においても、第１の実施形態と同様に、上記座標情報の変換処理及びまたは上記不感帯領域での座標入力無視のための処理を位置情報出力回路内で行うのではなく、位置情報出力回路からは実際の指示位置の座標情報を出力したうえで、他の信号処理回路における所定の信号処理の際に、上記座標変換の処理や不感帯領域を指示された場合の所定の信号処理の禁止制御を行うようにしてもよい。